(57)【特許請求の範囲】
【請求項１】
ロック装置を介してカメラ本体に着脱自在に取り付けられるホールディング用アクセサリであって、前記ロック装置によるカメラ本体とアクセサリとのロックまたはロック解除するためのロックレバーが、ハウジングに形成されたスリットから前記ハウジングの外へ突出し、前記スリットの長手方向に沿って移動自在であるホールディング用アクセサリにおいて、前記スリットの周囲を規定する縁部に設けられ、前記スリットを覆うとともに、前記ロックレバーが前記スリットに沿って移動するのを許容するレバーカーテンを備え、前記ロックレバーが、前記スリットの長手方向に沿って所定の幅を有する板状のアームを有し、前記レバーカーテンに、前記レバーカーテンの幅方向に沿って延びて前記レバーカーテンの長辺まで達する切り込みが形成されており、前記切り込みが前記ロックレバーが停止する位置に形成され、停止位置において、前記アームが前記切り込みに干渉して、前記レバーカーテンの前記切り込みよりも端側の小片を折り曲げるとともに、前記レバーカーテンの前記切り込みよりも中央側部分を湾曲させることを特徴とするカメラのホールディング用アクセサリ。
【請求項２】
前記レバーカーテンが、一方の面にゴム層が形成された長方形の布であることを特徴とする請求項１に記載のホールディング用アクセサリ。
【請求項３】
前記ロックレバーが前記スリット内で移動する範囲における両端部に、それぞれ前記切り込みが形成されることを特徴とする請求項１に記載のホールディング用アクセサリ。
【請求項４】
前記切り込みの前記長辺の近傍が面取りされていることを特徴とする請求項１に記載のホールディング用アクセサリ。
【発明の詳細な説明】
【０００１】
【発明の属する技術分野】
本発明は、カメラ本体に着脱自在に取り付けられる、カメラのホールディング用アクセサリに関する。
【０００２】
【従来の技術】
従来、カメラには種々の電気回路が設けられており、これらはカメラ本体に収容された電池によって電力を供給される。電池の消耗はカメラの使用状況に応じて変化し、例えばストロボ撮影を多用すると、電池の寿命は著しく短くなり、電池交換の頻度は高くなる。そこで従来、カメラ本体内よりも多数の電池を収容することができるアクセサリをカメラ本体に着脱自在に取付け、長期間にわたって電池を交換することなく使用できるように構成されたカメラが提案されている。
【０００３】
一方、カメラは撮影時、通常、シャッタボタンが撮影者から見て右上に位置する状態すなわち横位置に定められるが、目的に応じて、撮影光学系の光軸の周りに９０度回転させた縦位置に定められることもある。しかし縦位置に定められると、シャッタボタンが撮影者から見て左側面の上部に位置することとなり、シャッタレリーズ動作がやり難くなる。そこで従来、カメラ本体に設けられた第１のシャッタボタンとは別に、電池を収容したアクセサリに第２のシャッタボタンを設けて、横位置と同じ状態、すなわち第２のシャッタボタンが撮影者から見て右上に位置するように構成されたカメラが知られている。
【０００４】
【発明が解決しようとする課題】
このようなホールディング用アクセサリをカメラ本体の底面に着脱自在に取り付けるためのロック装置をアクセサリ内に設け、アクセサリのハウジングに形成されたスリットからハウジングの外へ突出するロックレバーを、スリットに沿って移動させることにより、ロック装置を操作するように構成することが可能である。しかし、このような構成によると、スリットの隙間からゴミ等の異物がアクセサリの内部に侵入するおそれがある。
【０００５】
したがって本発明の目的は、ホールディング用アクセサリに形成されたスリットからアクセサリ内にゴミ等の異物が侵入することを防止することにある。
【０００６】
【課題を解決するための手段】
本発明は、ロック装置を介してカメラ本体に着脱自在に取り付けられ、ロック装置を操作するためのロックレバーが、ハウジングに形成されたスリットからハウジングの外へ突出し、スリットの長手方向に沿って移動自在であるホールディング用アクセサリにおいて、スリットの周囲を規定する縁部に設けられ、スリットを覆うとともに、ロックレバーがスリットに沿って移動するのを許容するレバーカーテンを備えることを特徴としている。
【０００７】
レバーカーテンは例えば、一方の面にゴム層が形成された長方形の布である。ゴム層が形成されることによりレバーカーテンに復元力が生じ、レバーカーテンにおいて、ロックレバーに押された部分は折れ曲がるが、ロックレバーから解放された部分は復元し、スリットを確実に塞ぐことができる。
【０００８】
レバーカーテンには、レバーカーテンの幅方向に沿って延びてレバーカーテンの長辺まで達する切り込みが形成されることが好ましい。切り込みがあることにより、レバーカーテンはロックレバーが干渉する近傍のみが折れ曲がり、他の部分はスリットを確実に塞ぐことができる。
【０００９】
好ましくは、ロックレバーがスリット内で移動する範囲における両端部に、それぞれ切り込みが形成される。また好ましくは、切り込みはロックレバーが停止する位置に形成され、停止位置において、ロックレバーが切り込みに干渉する。さらに、切り込みのレバーカーテンの長辺の近傍は面取りされていることが好ましい。
【００１０】
【発明の実施の形態】
以下、本発明の実施形態を図面を参照して説明する。
図１はカメラ本体１０と、本発明の一実施形態であるホールディング用アクセサリ２０とを分離した状態を示し、カメラ本体１０は横位置に定められている。アクセサリ２０はカメラ本体１０の底面に着脱自在に取り付けられる。
【００１１】
カメラ本体１０において、前面には交換レンズ１１が着脱自在に取り付けられ、上面の中央にはファインダ１２が設けられている。またカメラ本体１０において、前方から見て左端部には、撮影者がカメラ本体１０を保持しやすくなるように前方に突出した第１のグリップ部１３が形成され、第１のグリップ部１３の上面には第１のシャッタボタン１４が設けられている。カメラ本体１０の左右の肩部にはストラップを取り付けるための三角環１５、１６が装着されている。
【００１２】
アクセサリ２０において、前方から見て左端部には、第１のグリップ部１３の下端部に合致した水平断面形状となるように前方に突出した膨出部２１が形成され、またアクセサリ２０の下部には、水平方向に延びる第２のグリップ部２２が突出している。第２のグリップ部２２の膨出部２１に近接した部位には、第２のシャッタボタン２３が設けられている。すなわちカメラ本体１０を、前方から見て時計周りに約９０度回転させた縦位置において、第２のシャッタボタン２３は上方を向く。
【００１３】
アクセサリ２０の内部には、電池の他、第２のシャッタボタン２３等を操作することによって所定の電気信号を発生する種々の電気回路が設けられている。アクセサリ２０の上面には、電池により発生する電力をカメラ本体１０内の電気回路に供給するためのリード線を内蔵した挿入部材２４が設けられている。挿入部材２４はカメラ本体１０に形成された孔（図示せず）に挿入される。またアクセサリ２０の上面には、電気信号をカメラ本体１０内の電気回路に伝送するための信号接点ピン２５が設けられている。さらにアクセサリ２０の上面には、アクセサリ２０をカメラ本体１０に連結するときに、両者間の位置決めを行うための位置決めピン２６と、アクセサリ２０をカメラ本体１０に対して固定するための第１および第２の連結部材２７、２８とが設けられている。
【００１４】
図２はアクセサリ２０を後方から見た斜視図である。
アクセサリ２０のハウジングの外壁は、前カバー３１（図３参照）と後カバー３２から構成され、側面に形成される開口は蓋部材３７によって閉塞される。後カバー３２には水平方向に延びるスリット６１が穿設され、スリット６１には、カメラ本体１０にアクセサリ２０を連結した状態を保持するロック装置のロックレバー６２が挿通している。ロックレバー６２はスリット６１に沿って移動自在である。アクセサリ２０を後方から見て、スリット６１の右端部の近傍にはロック解除部材６３が設けられている。ロック解除部材６３は後カバー３２の壁面に対して垂直方向に移動自在である。
【００１５】
アクセサリ２０の後カバー３２において、ロック解除部材６３の下側には電源スイッチ６４が設けられ、電源スイッチ６４の右側にはＡＥロックボタン６５が設けられている。電源スイッチ６４を操作することによって、アクセサリ２０内に設けられた電池からカメラ本体１０内の電気回路への電力供給が開始される。ＡＥロックボタン６５を操作することによって、露出条件が所定時間だけ固定される。また後カバー３２において、ＡＥロックボタン６５の右側には、リモコン撮影のモードをオンオフするためのリモコンスイッチ６６と、リモコン撮影時にリモコン（図示せず）から出射される赤外光を受光するリモコン受光窓６７とが設けられている。
【００１６】
図３と図４を参照してアクセサリ２０のハウジングの構成を説明する。なお図３において、挿入部材２４（図１、図２参照）は省略されている。
【００１７】
アクセサリ２０のハウジングは、カメラ本体１０の前面に対応する前カバー３１と、カメラ本体１０の後面に対応する後カバー３２と、前カバー３１と後カバー３２の間に設けられた中仕切部材３３とを備える。前カバー３１と後カバー３２はそれぞれ、カメラ本体１０の幅すなわち左右方向の長さにほぼ等しく、ビス３４によって中仕切部材３３に固着される。前カバー３１は上述したように、膨出部２１と第２のグリップ部２２とを有し、第２のグリップ部２２の膨出部２１とは反対側の端部には第１の切欠３５が形成されている。後カバー３２の第１の切欠き３５に対応した位置には第２の切欠３６が形成されている。前カバー３１と後カバー３２と中仕切部材３３が組み立てられた状態において、第１および第２の切欠３５、３６によって区画される開口は、上述したように蓋部材３７によって閉塞される。
【００１８】
中仕切部材３３は前カバー３１および後カバー３２よりも若干短いが、カメラ本体１０の左右方向のほぼ全域にわたって延びている。前カバー３１と後カバー３２と中仕切部材３３の壁面には、電池の外面に沿って円弧状に切欠かれた多数のリブ３８が形成されている。すなわち、前カバー３１と後カバー３２と中仕切部材３３が組み立てられた状態において、図４に明示されるように、複数の電池を収容するための電池室４１が区画形成され、中仕切部材３３は電池室４１おいて複数の電池の間を区画する壁を構成する。また中仕切部材３３は、交換レンズ（撮影光学系）１１の光軸に垂直な平板３９を有し、平板３９により、アクセサリ２０の曲げ剛性が高められ、強度性能が向上する。なお中仕切部材３３の長手方向（カメラ本体１０の幅方向）のほぼ中央の下部に形成された穴４２には、三脚を連結するための三脚雌ネジ４３が設けられている。
【００１９】
前カバー３１と後カバー３２と中仕切部材３３は合成樹脂から成り、図４において横方向に変位する上型と下型から構成された金型によって成形される。すなわち、アクセサリ２０のハウジングを前カバー３１と後カバー３２に分割し、中仕切部材３３によって連結する構成を採用したことにより、これらの樹脂成形品の製造工程において、金型からの離型が容易になり、アクセサリ２０の製造コストが抑えられる。
【００２０】
前カバー３１と後カバー３２の底面において、中仕切部材３３に連結するためのビス３４が設けられる部位を含む部分はそれぞれ凹陥しており、これらの凹陥部４４には、底面ゴムカバー４６が設けられる。一方、前カバー３１の上面には、外観ゴムカバー４７が貼付される。中仕切部材３３の上面には金属製の支持板６８が載置され、前カバー３１と後カバー３２の上方に形成される開口は上板４８よって閉塞される。上板４８には、開口４８ａ、４８ｂ、４８ｃが形成されている。
【００２１】
図５、６および７を参照してロック装置の構成を説明する。図５はロックレバー６２がロック位置にあってアクセサリ２０がカメラ本体１０に強固に連結される状態を示し、図６はロックレバー６２が部分解除位置にあってアクセサリ２０がカメラ本体１０にまだ部分的に連結されている状態を示している。図７はロックレバー６２が完全解除位置にあってアクセサリ２０がカメラ本体１０から完全に分離される状態を示している。
【００２２】
ロックレバー６２は、支持板６８に固定された枢支ピン６８ａによって、支持板６８に沿って回動自在に支持されている。ロックレバー６２のアーム６２ａは支持板６８の縁部よりも外側へ突出し、アーム６２ａの突出端にはロックボタン（操作部）６２ｂが設けられている。アーム６２ａの支持板６８側の面には案内ピン６２ｃが突設されており、案内ピン６２ｃは、支持板６８に形成されて枢支ピン６８ａを曲率中心とする円弧状の長穴６８ｂに嵌合している。すなわち、ロックレバー６２は、案内ピン６２ｃが長穴６８ｂ内で移動できる範囲において回動自在である。ロックレバー６２は、枢支ピン６８ａからアーム６２ａに対してほぼ垂直方向に延びる第１および第２張出部６２ｅ、６２ｆを有している。第１張出部６２ｅの先端には環状のカラー６２ｇが枢着され、第２張出部６２ｆの先端には押圧ピン６２ｈが固定されている。
【００２３】
第１連結部材２７は、支持板６８の上面に設けられた４つの案内ローラ６８ｃに案内され、支持板６８すなわちハウジングに移動自在に支持されている。第１連結部材２７の一方の縁部に形成された連結爪２７ａは、上板４８の開口４８a(図３参照）から突出しており、後述するように、ロックレバー６２に連動して変位することにより、カメラ本体１０の底面に形成された開口の縁部に係止可能である。第１の連結部材２７は矩形の開口２７ｂを有する。開口２７ｂの内側には、アクセサリ２０内の電気回路とカメラ本体１０内の電気回路とを電気的に接続するための信号接点ピン２２が位置している。信号接点ピン２２は上板４８の開口４８ｂ(図３参照）から突出して、カメラ本体１０の底面に設けられた電気接点に接触可能である。
【００２４】
第１連結部材２７と支持板６８は一対の引張バネ６９によって連結され、第１の連結部材２７は常時ロックレバー６２側、すなわち連結爪２７ａとは反対方向に付勢されている。第１連結部材２７の連結爪２７ａとは反対側の縁部には、「く」の字状に屈曲された板バネ２７ｃが設けられ、板バネ２７ｃには、ロックレバー６２のカラー６２ｇが係合可能である。すなわち第１連結部材２７は、板バネ２７ｃを介してロックレバー６２により押圧され、連結爪２７ａ側すなわち外側に変位する。
【００２５】
中間レバー７１は、支持板６８に固定された枢支ピン６８ｄに、回動自在に支持されている。中間レバー７１のロックレバー６２側の縁部７１ａは、押圧ピン６２ｈとの干渉を避けるために円弧状に形成されており、縁部７１ａの枢支ピン６８ｄ側の端部には押圧ピン６２ｈが係合する切欠７１ｂが形成されている。中間レバー７１に固着されたピン７１ｄと支持板６８に固着されたピン６８ｅはオメガバネ７３によって連結されている。これにより中間レバー７１は、ロックレバー６２側に回動した第１の位置（図７参照）と第２の連結部材２８側に回動した第２の位置（図５および図６参照）において、安定的に静止する。なお中間レバー７１には、後述するように第２の連結部材２８に設けられた連結ピン２８ｄが係合する穴７１ｅが形成されている。
【００２６】
第２の連結部材２８は、支持板６８の上面に設けられた４つの案内ローラ６８ｆに案内され、支持板６８すなわちハウジングに移動自在に支持されている。第２の連結部材２８の移動方向は第１の連結部材２７の移動方向に平行であるが、その向きは相互に逆である。なお４つの案内ローラ６８ｆのうちの１つは、上述したピン６８ｅを兼ねている。第２の連結部材２８には、連結爪２８ａが形成されている。連結爪２８ａは上板４８の開口４８ｃ（図３参照）から突出しており、後述するように、ロックレバー６２に連動して変位することにより、カメラ本体１０の底面に形成された開口の縁部に係止可能である。また第２の連結部材２８には、移動方向に沿って延びる第１および第２の案内スリット２８ｂ、２８ｃが形成されている。第１の案内スリット２８ｂは枢支ピン６８ａに係合し、第２の案内スリット２８ｃは枢支ピン６８ｄに係合している。連結部材２８に固定された連結ピン２８ｄは、中間レバー７１の穴７１ｅに係合している。
【００２７】
次に、ロック装置の作用を説明する。
図５に示されるようにロックレバー６２がロック位置にあるとき、ロックボタン６２ｂは側面６２ｉがロック解除部材６３に近接した位置にあり、カラー６２ｇは板バネ２７ｃの屈曲部２７ｄの近傍を押圧している。したがって第１の連結部材２７は、カラー６２ｇが板バネ２７ｃを押圧することによって生じるバネ力により付勢され、引張バネ６９のバネ力に抗して、外側に変位している。一方、中間レバー７１はオメガバネ７３のバネ力により、第２の連結部材２８を連結爪２８ａ側すなわち外側に押圧した位置に静止している。すなわち第１および第２の連結部材２７、２８は相互に離れる方向に位置して固定されており、アクセサリ２０がカメラ本体１０に取り付けられた状態において、連結爪２７ａ、２８ａはカメラ本体１０の底面の開口の外側縁部にそれぞれ係止し、アクセサリ２０とカメラ本体１０は相互に強固に連結される。
【００２８】
アクセサリ２０をカメラ本体１０から取り外すには、まずロック解除部材６３を第１の連結部材２７側に押し込んで、ロックボタン６２ｂの側面６２ｉを露出させる。これによりロックレバー６２は操作しやすくなり、側面６２ｉを第２の連結部材２８側へ向けて押すと、カラー６２ｇが板バネ２７ｃを撓めて屈曲部２７ｄを乗り越え、ロックレバー６２は、押圧ピン６２ｈが中間レバー７１の切欠７１ｂに係合した状態において停止する。この状態が図６に示される部分解除位置であり、板バネ２７ｃがカラー６２ｇから解放されるので、第１の連結部材２７は引張バネ６９によって内側（ロックレバー６２側）に変位する。これにより、第１の連結部材２７の連結爪２７ａはカメラ本体１０の底面の開口縁部から解放される。これに対し、第２の連結部材２８はオメガバネ７３に付勢されて静止しており、連結爪２８ａはカメラ本体１０の底面の開口縁部に係止した状態を維持している。この状態では、アクセサリ２０の連結爪２７ａ側がカメラ本体から離間可能であるが、位置決めピン２６がカメラ本体１０の挿入孔の内壁に係合し、連結爪２８ａと協働することにより、アクセサリ２０が第２の連結部材２８を介してカメラ本体１０に連結された状態が維持される。したがって、使用者がアクセサリ２０を手から離してもアクセサリ２０は落下しない。
【００２９】
ロックレバー６２を部分解除位置（図６）からさらに第２の連結部材２８側に移動させると、押圧ピン６２ｈが切欠７１ｂを押圧し、中間レバー７１が図７において反時計方向に回動する。この結果、連結ピン２８ｄを介して、第２の連結部材２８が内側（ロックレバー６２側）に移動し、図７に示される完全解除位置において静止する。この状態では、第２の連結部材２８の連結爪２８ａはカメラ本体１０の底面の開口縁部から解放される。すなわち、第１および第２の連結部材２７、２８の連結爪２７ａ、２８ａがともにカメラ本体１０から解放され、アクセサリ２０はカメラ本体１０から外される。
【００３０】
アクセサリ２０をカメラ本体１０に取り付けるときには、まずアクセサリ２０をカメラ本体１０の底面に当接させて、連結爪２７ａ、２８ａをカメラ本体１０の底面の開口に係合させる。そして、完全解除位置（図７参照）に定められたロックレバー６２を第１の連結部材２７側に倒し、ロック位置（図５参照）に定めればよい。これにより、連結部材２７、２８が外側に変位して連結爪２７ａ、２８ａがカメラ本体１０の底面の開口縁部に係止する。
【００３１】
以上のようにアクセサリ２０をカメラ本体１０から取り外す操作において、ロックレバー６２はロック位置（図５）から回動して部分解除位置（図６）に一旦固定され、この状態ではアクセサリ２０は第２の連結部材２８によってカメラ本体１０に連結している。したがって、アクセサリ２０が誤って落下することはない。また、ロックレバー６２をロック位置から部分解除位置を経て完全解除位置に移動させる操作、および完全解除位置からロック位置に定める操作は、ロックレバー６２を単に回動させるだけでよいので、アクセサリ２０とカメラ本体１０の取り付けおよび取り外し操作は極めて簡単である。
【００３２】
また板バネ２７ｃが第１の連結部材２７に設けられているので、ロックレバー６２の回動操作において、カラー６２ｇが板バネ２７ｃの屈曲部２７ｄを乗り越えるのに十分な力で、ロックレバー６２を押さなければならない。このようにロックレバー６２の移動に所定の抵抗を付与するクリックストップ機構を設けたことにより、ロック位置にあるロックレバー６２を不用意に操作することが防止される。
【００３３】
図８は、後カバー３２をハウジングの内側から見た図である。後カバー３２に形成されたスリット６１は水平方向に延びている。スリット６１の周囲を規定する下側壁６１ａの上側縁部には、レバーカーテン８１が貼付されている。レバーカーテン８１はスリット６１とほぼ同じ長さを有する長方形の布であり、一方の面はゴム引きされてゴム層が形成されている。レバーカーテン８１の上側の長辺８１ａは、スリット６１の上側壁部の縁の近傍に位置し、レバーカーテン８１はスリット６１を覆っている。レバーカーテン８１において、その両端部の近傍には、それぞれ切り込み８１ｂ、８１ｃが形成されている。切り込み８１ｂ、８１ｃが形成される位置は、ロックレバー６２がスリット６１内で移動する範囲における両端部である。各切り込み８１ｂ、８１ｃは、レバーカーテン８１の幅方向に沿って延びてレバーカーテン８１の上側の長辺８１ａまで達している。
【００３４】
図９〜図１２に示されるように、ロックレバー６２の先端すなわちロックボタン６２ｂはスリット６１からハウジングの外へ突出している。ロックレバー６２は枢支ピン６８ａの周りに回動自在であり、この回動に伴い、ロックレバー６２のアーム６２ａはスリット６１の長手方向に沿って移動する。アーム６２ａと干渉するレバーカーテン８１の上部８１ｄ（図１２参照）は、アーム６２ａによって後カバー３２の外側に折り曲げられる。レバーカーテン８１のアーム６２ａが干渉しない部分は、その復元力によって直立状態を維持する。すなわち、レバーカーテン８１は、ロックレバー６２がスリット６１に沿って移動するのを許容しつつ、スリット６１を覆っており、スリット６１からアクセサリ２０内にゴミ等の異物が侵入することが防止される。
【００３５】
ロックレバー６２がロック位置（図９参照）で停止しているとき、アーム６２ａはレバーカーテン８１の一方の切り込み８１ｂに干渉している。これに対し、ロックレバー６２が部分解除位置（図１０参照）にあるとき、アーム６２ａはいずれの切り込み８１ｂ、８１ｃにも干渉しないが、ロックレバー６２が完全解除位置（図１１参照）にあるとき、アーム６２ａは他方の切り込み８１ｃに干渉する。したがって、ロックレバー６２が例えばロック位置にあるとき、図１３に示されるように、レバーカーテン８１の切り込み８１ｂ（図８）よりも端側の小片８１ｅはアーム６２ａによって水平に折り曲げられるが、切り込み８１ｂよりも中央側部分８１ｆは大きく湾曲している。これにより、レバーカーテン８１がスリット６１をできるだけ覆うことができるとともに、ロックレバー６２が部分解除位置側に移動するとき、アーム６２ａは中央側部分８１ｆをスムーズに折り曲げることができ、レバーカーテン８１が損傷することが防止される。
【００３６】
図１４はレバーカーテン８１の他の例を示し、切り込み８１ｂの長辺８１ａの近傍が面取りされて三角形の切欠８１ｇが形成されている。この構成によれば、図１３に示されるような状態において、レバーカーテン８１の中央側部分８１ｆの湾曲の曲率がさらに大きくなり、スリット６１をより完全に覆うことが可能になる。
【００３７】
以上の実施形態においては、いずれも、レバーカーテン８１はその一方の長辺端部のみが下側壁６１ａの上側縁部に貼付されているだけで、他方の上板４８側に臨む長辺端部側は自由に変形可能である。このため、アクセサリ２０の分解、組み立て時において、いちいちレバーカーテンを剥がしたり、接着したりせずに済む。また、アーム６２ａによって弾性変形する部分が貼付位置から最も遠い位置にあるので、最も撓みやすくかつ復元しやすい。これらの点で、カーテンの中央に切れ目を入れ、切れ目にアーム６２ａを通すような構成に比べて有利である。
【００３８】
【発明の効果】
以上のように本発明によれば、ホールディング用アクセサリに形成されたスリットからアクセサリ内にゴミ等の異物が侵入することが防止される。
【図面の簡単な説明】
【図１】カメラ本体と、本発明の一実施形態であるホールディング用アクセサリとを示す分解斜視図である。
【図２】ホールディング用アクセサリを後方から見た斜視図である。
【図３】ホールディング用アクセサリのハウジングを示す分解斜視図である。
【図４】ホールディング用アクセサリの横断面図である。
【図５】ロックレバーがロック位置にあるときのロック装置を示す平面図である。
【図６】ロックレバーが部分解除位置にあるときのロック装置を示す平面図である。
【図７】ロックレバーが完全解除位置にあるときのロック装置を示す平面図である。
【図８】後カバーをハウジングの内側から見た図である。
【図９】ロック位置にあるロックレバーとスリットの位置関係を示す図である。
【図１０】部分解除位置にあるロックレバーとスリットの位置関係を示す図である。
【図１１】完全解除位置にあるロックレバーとスリットの位置関係を示す図である。
【図１２】ロックレバーのアームとレバーカーテンの干渉状態を示す断面図である。
【図１３】ロックレバーがレバーカーテンを折り曲げる状態を示す斜視図である。
【図１４】レバーカーテンの他の例を示す図である。
【符号の説明】
１０  カメラ本体
２０  ホールディング用アクセサリ
６１  スリット
６２  ロックレバー
８１  レバーカーテン
【図１】
0004087076.tif 000002
【図２】
0004087076.tif 000003
【図３】
0004087076.tif 000004
【図４】
0004087076.tif 000005
【図５】
0004087076.tif 000006
【図６】
0004087076.tif 000007
【図７】
0004087076.tif 000008
【図８】
0004087076.tif 000009
【図９】
0004087076.tif 000010
【図１０】
0004087076.tif 000011
【図１１】
0004087076.tif 000012
【図１２】
0004087076.tif 000013
【図１３】
0004087076.tif 000014
【図１４】
0004087076.tif 000015